(57)【要約】      （修正有）【課題】最終仕上げ後の装飾体の組み込みを容易とするとともに取り付けられた装飾体の交換及び動かせることができる装身具を提供する。【解決手段】基体２と、軸棒６と、宝玉１１，１１ａ，１１ｂとからなり、基体２は、抜き部３を有するとともに該抜き部を設けた基体２の内壁面４に軸棒６を保持する互いに対向する挿入孔５，５ａと、鎖または紐状体を挿通させる通し孔１３とを有してなり、軸棒６は、筒状体７にて該筒状体の一端より上下移動自在に突出する摺動部材８と、他端より上下移動自在に突出する第二摺動部材９と、筒状体７内に摺動部材８と第二摺動部材９を外側に突出すように付勢するコイルスプリング１０とを有してなり、前記宝玉は、貫通孔１２，１２ａ，１２ｂを有してなり、軸棒６を前記宝玉に挿通させるとともに基体２の内壁面４に設けた挿入孔５，５ａに摺動部材８及び係合部材９を挿入して前記宝玉を配置させて形成した。【選択図】図３
0003126790.tif 000002
【実用新案登録請求の範囲】
【請求項１】
基体と、軸棒と、装飾体とからなる装身具であって、
前記基体は、抜き部を有するとともに該抜き部を設けた基体の内壁面に前記軸棒を保持する互いに対向する挿入孔とを有してなり、
前記軸棒は、筒状体にて該筒状体の一端より上下移動自在に突出する摺動部材と、他端より上下移動自在に突出する第二摺動部材と、当該筒状体内に前記摺動部材と第二摺動部材を外側に突出すように付勢するコイルスプリングとを有してなり、
前記装飾体は、貫通孔を有してなり、
前記軸棒を当該装飾体に挿通させるとともに前記基体の内壁面に設けた挿入孔に前記摺動部材及び第二摺動部材を挿入して装飾体を配置させることを特徴とする装身具。
【請求項２】
前記軸棒と、さらに凹状体にて該凹状体の一端より移動自在に突出する摺動部材と、当該凹状体内に前記摺動部材を外側に突出すように付勢するコイルスプリングとを有してなる軸棒を用いたことを特徴とする請求項１に記載の装身具。
【考案の詳細な説明】
【技術分野】
【０００１】
本考案は、算盤構造にて形成する装身具に関するものである。
【背景技術】
【０００２】
従来、装身具である指輪 、ペンダント、イヤリング等に宝玉、パーツ類の装飾体を取り付ける手段としては、例えば、宝玉は、石留めによる嵌合または接着にて取り付けられ、パーツ類は、ロー付けにより取り付け固定されるのが一般的ではあるが、前記装飾体である真珠、ミラーカットボール等の前記による取り付けは、長年の使用による修理が発生した場合等、当該装飾体を取り外す作業が生じ、該作業による破損、変形が発生し易く困難な作業となっている。
【０００３】
また、前記取り付けによる装飾体は、枠等に固定状態で有り、装飾体その物の交換、装飾体その物を動かすことができない欠点があった。
【０００４】
その中で上記問題点を解消しようとするものとして、
時計収容部とリング部と係合部とを有する指輪本体と、指輪本体の該時計収容部に収容された時計と、指輪本体の該係合部に解除自在に取り付け係合されることにより、該時計を指輪本体に対し取り付け取り外し自在に係止固定させる係止部材とより構成してなる時計付宝飾品がある（例えば特許文献１参照。）。
【０００５】
また、バックルの外枠パーツとペンダントヘッドの外枠を同一のものに作ることにより、中にデザインを施したパーツを、取り外せるようにピンが通る穴二つを形成して、ピン又はネジで収納可能にした取り替え式バックル及びペンダントがある（例えば特許文献２参照。）。
【０００６】
しかしながら、上記の特許文献１の時計付宝飾品は、係止部材にて時計を取り付け取り外し自在に係止固定のみの機構であり、
また、特許文献２の取り替え式バックル及びペンダントは、ピン又はネジにて双方に使用できる機構であり、装飾体その物を動かすことができない機構である。
【０００７】
【特許文献１】実開平０２−１３９５１１号公報
【特許文献２】実開平０５−００９３１５号公報
【考案の開示】
【考案が解決しようとする課題】
【０００８】
前記事項を鑑み解決しようとする問題点は、最終仕上げ後の装飾体の組み込みを容易とするとともに取り付けられた装飾体の交換及び動かせることができる装身具を提供する。
【課題を解決するための手段】
【０００９】
上記課題を解決するために、請求項１に係る考案は、基体と、軸棒と、装飾体とからなり、前記基体は、抜き部を有するとともに該抜き部を設けた基体の内壁面に前記軸棒を保持する互いに対向する挿入孔とを有してなり、前記軸棒は、筒状体にて該筒状体の一端より上下移動自在に突出する摺動部材と、他端より上下移動自在に突出する第二摺動部材と、当該筒状体内に前記摺動部材と第二摺動部材を外側に突出すように付勢するコイルスプリングとを有してなり、前記装飾体は、貫通孔を有してなり、前記軸棒を当該装飾体に挿通させるとともに前記基体の内壁面に設けた挿入孔に前記摺動部材及び係合部材を挿入して装飾体を配置させてなるものである。
【００１０】
また、請求項２に係る考案は、請求項１に記載の装身具において、前記軸棒と、さらに凹状体にて該凹状体の一端より移動自在に突出する摺動部材と、当該凹状体内に前記摺動部材を外側に突出すように付勢するコイルスプリングとを設けてなる軸棒を用いてなるものである。
【考案の効果】
【００１１】
以上述べたように、本考案の請求項１に係るような前記軸棒を当該装飾体に挿通させるとともに前記基体の抜き部に設けた挿入孔に摺動部材及び第二摺動部材を外側に突出すように付勢するコイルスプリングにて挿入し装飾体を配置させる算盤構造の装身具とすることにより、最終仕上げ後の前記装飾体の組み込みを容易として、ロー付け、メッキ処理等を含む最終工程の作業性向上に伴う低コストでの装身具の製作が可能となった。
【００１２】
また、請求項２に係る考案のような２種の軸棒を用いてなる算盤構造とした装身具とすることにより、請求項１に係るような効果及び装身具のデザイン選択も広げることを可能とした装飾性を有する装身具の提供ができた。
【考案を実施するための最良の形態】
【００１３】
以下、本考案の目的である最終仕上げ後の装飾体の組み込みを容易とするとともに取り付けられた装飾体の交換及び動かせることができる装身具の構造は、図面を用いて詳細に説明する。
【００１４】
図１は、本考案の算盤構造としたペンダント１とする装身具の一実施例を示す斜視図であり、図２は、当該ペンダント１の正面図を示し、図３は、図１のＡ−Ａ線断面図を示したものである。
【００１５】
ペンダント１は、基体２と、軸棒６と、装飾体である宝玉１１，１１ａ，１１ｂとからなり、実施に際して、宝玉１１として真珠を用いた。
前記基体２は、抜き部３を有するとともに該抜き部を設けた基体２の内壁面４に軸棒６を保持する互いに対向する挿入孔５，５ａと、鎖または紐状体を挿通させる通し孔１３とを有してなり、前記軸棒６は、筒状体７にて該筒状体の一端より上下移動自在に突出する摺動部材８と、他端より上下移動自在に突出する第二摺動部材９と、筒状体７内に摺動部材８と第二摺動部材９を外側に突出すように付勢するコイルスプリング１０とを有してなり、前記装飾体である宝玉１１，１１ａ，１１ｂは、貫通孔１２，１２ａ，１２ｂを有してなり、前記軸棒６を宝玉１１，１１ａ，１１ｂに挿通させるとともに基体２の内壁面４に設けた挿入孔５，５ａに摺動部材８及び係合部材９を挿入して宝玉１１，１１ａ，１１ｂを配置させて形成した。
【００１６】
図４は、本考案の算盤構造の更に別の実施例を示す正面図であり、
ペンダント１ａは、基体２と、３本の軸棒６，６ａ，６ｂと、宝玉１１，１１ａ，１１ｂ，１１ｃ，１１ｄとからなり、前記基体２は、抜き部３を有するとともに該抜き部を設けた基体２の内壁面４に軸棒６を保持する互いに対向する挿入孔５，５ａと、軸棒６ａを保持する互いに対向する挿入孔５ｂ，５ｃと、軸棒６ｂを保持する互いに対向する挿入孔５ｄ，５ｅと、鎖または紐状体を挿通させる通し孔１３とを有してなり、前記軸棒６，６ａ，６ｂのそれぞれは、筒状体にて該筒状体の一端より上下移動自在に突出する摺動部材と、他端より上下移動自在に突出する第二摺動部材と、筒状体内に摺動部材と第二摺動部材を外側に突出すように付勢するコイルスプリングとを有してなり、前記装飾体である宝玉１１，１１ａ，１１ｂ，１１ｃ，１１ｄのそれぞれは、貫通孔を有してなり、前記軸棒６を宝玉１１，１１ａ，１１ｂに挿通、軸棒６ａを宝玉１１ｃに挿通、軸棒６ｂを宝玉１１ｄに挿通させるとともに基体２の内壁面４に設けた挿入孔５，５ａに軸棒６を、挿入孔５ｂ，５ｃに軸棒６ａを、挿入孔５ｄ，５ｅに軸棒６ｂを、それぞれの摺動部材及び係合部材を挿入して宝玉１１，１１ａ，１１ｂ，１１ｃ，１１ｄを配置させて形成した。
【００１７】
本考案によれば、実施に際して基体２に通し孔１３を設けたが限定するものではなく、指輪には不必要であるため、装身具の種類またはデザインによって設ければよい。また、挿入孔５〜５ｅを基体２に対して貫通させた孔としたが限定するものではなく、凹状の孔としてもよい。
【００１８】
図５は、本考案の算盤構造の他の実施例を示す正面図であり、図６は、図５のＡ−Ａ線断面図を示し、ペンダント１ｃは、基体２と、２種の軸棒６と軸棒２０，２０ａと、装飾体である宝玉２４，２４ａ，２４ｂ，２４ｃ，２４ｄとからなり、前記基体１ｃは、抜き部３を有するとともに該抜き部を設けた基体２の内壁面４に軸棒６を保持する互いに対向する挿入孔５，５ａと、軸棒２０を保持する互いに対向する挿入孔５ｂ，５ｃと、鎖または紐状体を挿通させる環２６とを有してなり、前記軸棒６は、筒状体７にて該筒状体の一端より上下移動自在に突出する摺動部材８と、他端より上下移動自在に突出する第二摺動部材９と、筒状体７内に摺動部材８と第二摺動部材９を外側に突出すように付勢するコイルスプリング１０とを有してなり、前記軸棒２０と軸棒２０ａのそれぞれは、凹状体２１にて該凹状体の一端より移動自在に突出する摺動部材２２と、凹状体２１内に摺動部材２２を外側に突出すように付勢するコイルスプリング２３とを有してなり、前記装飾体である宝玉２４，２４ａ，２４ｂ，２４ｃ，２４ｄのそれぞれは、貫通孔を有してなり、宝玉２４は他より径大とするとともに貫通孔２５と２５ａを直角に交差する十文字状に設けた。
【００１９】
前記軸棒６を宝玉２４，２４ａ，２４ｂに挿通させるとともに基体２の内壁面４に設けた挿入孔５，５ａに摺動部材８及び係合部材９を挿入して宝玉２４，２４ａ，２４ｂを配置した後、前記軸棒２０を宝玉２４ｃに挿通、軸棒２０ａを宝玉２４ｄに挿通させるとともに基体２の内壁面４に設けた挿入孔５ｂに軸棒２０の他端を、宝玉２４に設けた貫通孔２５ａに一端の摺動部材２２を挿入して宝玉２４ｃを配置、また、基体２の内壁面４に設けた挿入孔５ｃに軸棒２０ａの他端を、宝玉２４に設けた貫通孔２５ａに一端の摺動部材２２ａを挿入して宝玉２４ｄを配置させて形成した。
【００２０】
図７は、本考案に係わる装身具に用いた２種の軸棒を示す拡大断面図であり、
（ａ）は、軸棒６の拡大断面図であり、軸棒６は、筒状体７にて該筒状体の一端より上下移動自在に突出する摺動部材８と、他端より上下移動自在に突出する第二摺動部材９と、筒状体７内に摺動部材８と第二摺動部材９を外側に突出すように付勢するコイルスプリング１０とを有して形成した。
【００２１】
（ｂ）は、軸棒２０の拡大断面図であり、軸棒２０は、凹状体２１にて該凹状体の一端より移動自在に突出する摺動部材２２と、当該凹状体内に前記摺動部材を外側に突出すように付勢するコイルスプリング２３とを有して形成した。
【００２２】
本考案によれば、実施に際して装飾体を真珠とした宝玉１１を用いたが限定するものではなく、中空体の丸玉等、軸棒を挿通できる貫通孔を設けることができる装飾体であればよい。また、装身具をペンダントとした実施例であるが、指輪、イヤリング等、算盤構造を用いた装身具であればよい。
【図面の簡単な説明】
【００２３】
【図１】本考案に係わる装身具の実施例を示す斜視図である。
【図２】図１の装身具の正面図である。
【図３】図１のＡ−Ａ線断面図である。
【図４】本考案に係わる装身具の更に別の実施例を示す正面図である。
【図５】本考案に係わる装身具の他の実施例を示す正面図である。
【図６】図５の断面図である。
【図７】本考案に係わる装身具に用いた２種の軸棒を示す拡大断面図である。
【符号の説明】
【００２４】
１    ペンダント
２    基体
３    抜き部
４    内壁面
５    挿入孔
６    軸棒
７    筒状体
８    摺動部材
９    第二摺動部材 
１０    コイルスプリング
１１    宝玉
１２    貫通孔
１３    通し孔
２０    軸棒
２１    凹状体
２２    摺動部材
２３    コイルスプリング
２４    宝玉
２５    貫通孔
２６    環
【図１】
0003126790.tif 000003
【図２】
0003126790.tif 000004
【図３】
0003126790.tif 000005
【図４】
0003126790.tif 000006
【図５】
0003126790.tif 000007
【図６】
0003126790.tif 000008
【図７】
0003126790.tif 000009